(57)【特許請求の範囲】
【請求項１】
発電機から変圧器に至る主回路に設けられると共に相分離されて構成されたものであって、並設された三つの容器と、前記主回路を電気的に遮断すると共に絶縁性ガスによって絶縁された遮断部が前記三つの容器内それぞれに配設されかつ該遮断部の接触子を接離させる操作器を備えた遮断器と、前記主回路の電圧を測定する複数の計器用変圧器とを有し、前記複数の計器用変圧器は、前記三つの容器のうち中央に位置する容器内に配設されていることを特徴とする開閉装置。
【請求項２】
発電機から変圧器に至る主回路に設けられると共に相分離されて構成されたものであって、並設された三つの容器と、前記主回路を電気的に遮断すると共に絶縁性ガスによって絶縁された遮断部が前記三つの容器内それぞれに配設されかつ該遮断部の接触子を接離させる操作器を備えた遮断器と、前記主回路の電圧を測定する複数の計器用変圧器とを有し、前記三つの容器の隣接する容器間は絶縁管によって連通され、前記複数の計器用変圧器は、前記三つの容器のうち中央に位置する容器内に配設され、前記三つの容器のうち両端に位置する容器の相に対応する計器用変圧器の一次側リード線は、前記中央に位置する容器から前記絶縁管を介して両端の対応する容器内に引廻されることを特徴とする開閉装置。
【請求項３】
発電機から変圧器に至る主回路に設けられると共に相分離されて構成されたものであって、並設された三つの容器と、前記主回路を電気的に遮断すると共に絶縁性ガスによって絶縁された遮断部が前記三つの容器内それぞれに配設されかつ該遮断部の接触子を接離させる操作器を備えた遮断器と、前記主回路の電圧を測定する複数の計器用変圧器と、前記主回路に電気的に接続されると共に前記三つの容器内それぞれに配設された断路器及び接地開閉器の開閉部，避雷器とを有し、前記三つの容器の隣接する容器間は絶縁管によって連通され、前記複数の計器用変圧器は、前記三つの容器のうち中央に位置する容器内に配設され、前記三つの容器のうち両端に位置する容器の相に対応する計器用変圧器の一次側リード線は、前記中央に位置する容器から前記絶縁管を介して両端の対応する容器内に引廻されることを特徴とする開閉装置。
【請求項４】
請求項１乃至３のいずれかに記載の開閉装置において、前記複数の計器用変圧器の一次側は、Ｖ結線方式或いはＹ結線方式によって構成されていることを特徴とする開閉装置。
【請求項５】
請求項１乃至３のいずれかに記載の開閉装置において、前記三つの容器のうち中央に位置する容器は、他の容器よりも高さ方向の寸法が大きいことを特徴とする開閉装置。
【請求項６】
請求項１乃至３のいずれかに記載の開閉装置において、前記複数の計器用変圧器は、前記容器の上部に設けられた天井板から吊下がるように支持されていることを特徴とする開閉装置。
【請求項７】
請求項３に記載の開閉装置において、前記避雷器は、前記容器の上部に設けられた天井板から吊下がるように支持されていることを特徴とする開閉装置。
【発明の詳細な説明】
【０００１】
【発明の属する技術分野】
本発明は、火力発電所，原子力発電所，水力発電所などに設置された発電機の変電機器に関するものであり、特に発電機から変圧器に至る主回路に設けられた開閉装置に関する。
【０００２】
【従来の技術】
発電機から変圧器に至る主回路に設けられた開閉装置としては、従来、例えば特開昭61−1218号公報に記載されたものが知られている。この公報に記載された開閉装置は、相分離されて構成されたものであり、並設された三つの外被内それぞれに遮断器が収納されている。遮断器を収納した外被の上部には、断路器を収納した外被が接続母線を収納した外被を介して階段状に連結されている。
【０００３】
【発明が解決しようとする課題】
この種開閉装置では、主回路の電圧値に基づいて遮断器の遮断部の接触子を接離させている。このため、開閉装置には、主回路の電圧値を測定する計器用変圧器が複数設けられている。複数の計器用変圧器は、遮断器の遮断部を収納した容器とは別置の容器内に設けられている。
【０００４】
近年、開閉装置のコンパクト化，コスト低減のために構成機器の一体化，複合化がなされている。これに伴って、遮断器の遮断部を収納した容器内に複数の計器用変流器を収納させる要求が高まっている。しかし、並設された三つの容器内に複数の計器用変流器をどのように設置すればよいかなど、十分な検討がなされていないのが現状である。
【０００５】
本発明の代表的な目的は、計器用変圧器の容器への取付作業，計器用変圧器の容器からの取外作業などの作業効率を向上させることができる開閉装置の提供にある。
【０００６】
【課題を解決するための手段】
本発明の特徴は、並設された三つの容器のうち中央に位置する容器内に、主回路の電圧を測定する複数の計器用変圧器を配設したことにある。
【０００７】
本発明によれば、並設された三つの容器のうち中央に位置する容器内に複数の計器用変圧器を配設したので、計器用変圧器の容器への取付作業，計器用変圧器の容器からの取外作業を中央に位置する容器に対して実施すればよく、他の容器に対しては配線の取付作業或いは取外作業を実施すればよい。これにより、計器用変圧器の容器への取付作業，計器用変圧器の容器からの取外作業の作業量，作業時間を大幅に減らすことができる。
【０００８】
しかも、本発明によれば、中央に位置する容器から両端に位置する容器に計器用変圧器の一次側リード線を容易に引廻すことができる。すなわち両端に位置する容器内に計器用変圧器を配設した場合、計器用変圧器の一次側リード線を２本引廻す部分が生じる。このため、２本のリード線の絶縁距離を確保する必要があり、一次側リード線の引廻し構造が複雑化或いは容器が大型化する。これに対して本発明は、中央に位置する容器内に複数の計器用変圧器を配設するので、中央に位置する容器から両端に位置する容器に計器用変圧器の一次側リード線を１本で引廻すことができる。従って、一次側リード線の引廻し構造の複雑化或いは容器の大型化を抑えることができる。
【０００９】
並設された三つの容器の隣接する容器間は絶縁管によって連通されている。並設された三つの容器のうち両端に位置する容器の相に対応する計器用変圧器の一次側リード線は、中央に位置する容器からその絶縁管を介して両端の対応する容器内に引廻す。ここで、容器間の連通に絶縁管を用いるのは、容器間に循環電流が流れないようにするためである。
【００１０】
並設された三つの容器内それぞれには、主回路を電気的に遮断する遮断器の遮断部が配設されている。遮断部は絶縁性ガス、例えば六弗化硫黄ガスによって絶縁されかつ操作器によって接離される接触子を備えている。また、並設された三つの容器内それぞれには、主回路に電気的に接続された断路器の開閉部，接地開閉器の開閉部及び避雷器が配設されている。
【００１１】
並設された三つの容器のうち中央に位置する容器は、複数の計器用変圧器と他の機器との絶縁距離を確保するために、他の容器よりも高さ方向の寸法が大きくなっている。複数の計器用変圧器の一次側は、Ｖ結線或いはＹ結線によって構成されている。また、複数の計器用変圧器は、容器の上部に設けられた天井板に吊下げられるように支持されている。避雷器も同様に、容器の上部に設けられた天井板に吊下げられるように支持されている。
【００１２】
【発明の実施の形態】
以下、本発明の実施例を図面に基づいて説明する。
【００１３】
図４は、本発明の第１実施例である開閉装置の三相結線図を示す。本実施例の開閉装置は、火力発電所，原子力発電所，水力発電所などに設置された発電機の変電機器であって、発電機から変圧器に至る主回路の大電流を遮断するために用いられるものである。この開閉装置は、Ｕ相，Ｖ相，Ｗ相毎に相分離されて構成されている。
【００１４】
尚、以下の説明において３相の構成が同じ場合には、説明の重複を避けるために、３相のうちのいずれか１相（本実施例の以下の説明ではＵ相）に対応する符号や記号を用語の直後に、残りの２相のうちの一方の相（本実施例の以下の説明ではＶ相）に対応する符号や記号を括弧内の左側に、残りの２相のうちの他方の相（本実施例の以下の説明ではＷ相）に対応する符号や記号を括弧内の右側に表記（例えば遮断器１ａ（１ｂ，１ｃ）のように表記）し、残りの２相に対応する構成の説明を省略する。
【００１５】
図において１ａ（１ｂ，１ｃ）は、Ｕ相（Ｖ相，Ｗ相）の回路に設けられた遮断器である。遮断器１ａ（１ｂ，１ｃ）は、Ｕ相（Ｖ相，Ｗ相）の通電電流を電気的に遮断するものである。
【００１６】
遮断器１ａ（１ｂ，１ｃ）の変圧器側には断路器２ａ（２ｂ，２ｃ）が電気的に接続されている。断路器２ａ（２ｂ，２ｃ）は、Ｕ相（Ｖ相，Ｗ相）の回路を電気的に発電機側の回路と変圧器側の回路に切離すものである。ここで、発電機側の回路とは、遮断器１ａ（１ｂ，１ｃ）よりも発電機側の回路であり、遮断器１ａ（１ｂ，１ｃ）が含まれた回路を指示す。変圧器側の回路とは、遮断器１ａ（１ｂ，１ｃ）よりも変圧器側の回路であり、遮断器１ａ（１ｂ，１ｃ）が含まれない回路を指示す。
【００１７】
断路器２ａ（２ｂ，２ｃ）の変圧器側には接地開閉器３ａ（３ｂ，３ｃ）及び避雷器４ａ（４ｂ，４ｃ）が電気的に接続されている。接地開閉器３ａ（３ｂ，３ｃ）は、変圧器側の回路電位を接地電位に降圧させるものであり、一方側が接地されている。避雷器４ａ（４ｂ，４ｃ）は、Ｕ相（Ｖ相，Ｗ相）の回路に伝搬する過電圧を抑制するものであり、一方側が接地されている。
【００１８】
遮断器１ａ（１ｂ，１ｃ）の発電機側には接地開閉器５ａ（５ｂ，５ｃ）が電気的に接続されている。接地開閉器５ａ（５ｂ，５ｃ）は、発電機側の回路電位を接地電位に降圧させるものであり、一方側が接地されている。
【００１９】
遮断器１ａの発電機側には計器用変圧器６ａの一次側の一方が電気的に接続されている。遮断器１ｂの発電機側には計器用変圧器６ｂの一次側の他方、計器用変圧器６ｃの一次側の一方が電気的に接続されている。遮断器１ｃの発電機側には計器用変圧器６ｄの一次側の他方が電気的に接続されている。
【００２０】
計器用変圧器６ａの一次側の他方は計器用変圧器６ｂの一次側の一方と電気的に直列接続されている。計器用変圧器６ｃの一次側の他方は計器用変圧器６ｄの一次側の一方と電気的に直列接続されている。
【００２１】
計器用変圧器６ａ〜６ｄはＵ相〜Ｗ相の回路電圧を測定するものであり、Ｖ結線方式で構成されている。
【００２２】
尚、本図では図示省略したが、遮断器１ａ〜１ｃの発電機側には起動用断路器が電気的に接続されている。遮断器１ａ〜１ｃの変圧器側には断路器２ａ〜２ｃ用の計器用変圧器が電気的に接続されている。
【００２３】
図１〜図３は、図４の三相結線図を適用した開閉装置の構成を示す。図において１０は基礎台である。基礎台１０上部には収納箱１３が設けられている。収納箱１３内には、連結ロッド１１を介して操作器（図示省略）に機械的に連結されたリンク機構部１２ａ〜１２ｃが収納されている。基礎台１０上部の端部、かつ収納箱１３の一側端には操作器箱１４が設けられている。操作器箱１４内には上述の操作器が収納されている。上述の操作器は、後述する遮断器１ａ〜１ｃの遮断部の接触子を一括で接離させるものである。操作器箱１４は収納箱１３よりも上方に突出している。
【００２４】
収納箱１３の上部には容器１５ａ〜１５ｃが連結ロッド１１の延伸方向に並設されている。容器１５ａ〜１５ｃの横幅及び奥行きはそれぞれ同じ大きさに設定されている。横幅は奥行きよりも小さい。ここで、容器の横幅とは、連結ロッド１１の延伸方向の大きさを指示す。容器の奥行きとは、連結ロッド１１の延伸方向に対して直角な方向の大きさを指示す。容器１５ａと容器１５ｃの高さは同じ大きさに設定されている。容器１５ｂの高さは容器１５ａ，１５ｃの高さよりも大きく設定されている。
【００２５】
容器１５ａ（１５ｂ，１５ｃ）は底板１６ａ（１６ｂ，１６ｃ），側壁１７ａ（１７ｂ，１７ｃ）及び屋根１８ａ（１８ｂ，１８ｃ）から構成されたもの、すなわち切妻屋根形状の箱体である。容器１５ａ（１５ｂ，１５ｃ）は金属製のものであり、接地されている。ここで、切妻屋根形状とは、２枚の板を「へ」の字状に合せた形状を指示す。切妻屋根形状の箱体とは、切妻屋根形状の屋根が設けられた箱体を指示す。
【００２６】
側壁１７ａ（１７ｂ，１７ｃ）の屋根１８ａ（１８ｂ，１８ｃ）側には天井板１９ａ（１９ｂ，１９ｃ）が設けられている。天井板１９ａ（１９ｂ，１９ｃ）は、後述する計器用変圧器及び避雷器を吊下がるように支持するものである。底板１６ａ（１６ｂ，１６ｃ）の下面には収納箱２０ａ（２０ｂ，２０ｃ）が設けられている。収納箱２０ａ（２０ｂ，２０ｃ）は、底板１６ａ(１６ｂ，１６ｃ)よりも下方側に突出するリンク機構１２ａ（１２ｂ，１２ｃ）を収納するものである。
【００２７】
側壁１７ａと側壁１７ｂの間には、容器１５ａと容器１５ｂを連通する絶縁管２１ａが設けられている。側壁１７ｂと側壁１７ｃの間には、容器１５ｂと容器１５ｃを連通する絶縁管２１ｂが設けられている。絶縁管２１ａ，２１ｂは、後述する計器用変圧器の一次側リード線を容器１５ｂから容器１５ａ，１５ｃに引廻すための配線用ダクトである。
【００２８】
容器１５ａ（１５ｂ，１５ｃ）の内には遮断器１ａ（１ｂ，１ｃ）の遮断部２２ａ（２２ｂ，２２ｃ）が配設されている。遮断部２２ａ（２２ｂ，２２ｃ）は、主回路導体２３ａ（２３ｂ，２３ｃ），主回路導体２４ａ(２４ｂ，２４ｃ)及び絶縁部材２５ａ（２５ｂ，２５ｃ）によって囲まれ、絶縁性ガス、例えば六弗化硫黄（ＳＦ6 ）ガスが封入された部分に開閉機構部２６ａ(２６ｂ，２６ｃ)が配設されてなるものである。
【００２９】
主回路導体２４ａ（２４ｂ，２４ｃ）及び主回路導体２４ａ(２４ｂ，２４ｃ)は円筒状の導電性部材である。主回路導体２４ａ（２４ｂ，２４ｃ）は、底板１６ａ（１６ｂ，１６ｃ）に固定された絶縁支持部材２７ａ（２７ｂ，２７ｃ）によって絶縁支持されている。主回路導体２４ａ（２４ｂ，２４ｃ）は、底板１６ａ（１６ｂ，１６ｃ）に固定された絶縁支持部材２８ａ(２８ｂ，２８ｃ)によって絶縁支持されている。
【００３０】
絶縁部材２５ａ（２５ｂ，２５ｃ）は主回路導体２３ａ（２３ｂ，２３ｃ）と主回路導体２４ａ（２４ｂ，２４ｃ）の間に設けられた円筒状のものであり、主回路導体２３ａ（２３ｂ，２３ｃ）と主回路導体２４ａ（２４ｂ，２４ｃ）の間を電気的に絶縁するものである。
【００３１】
開閉機構部２６ａ(２６ｂ，２６ｃ)は固定側開閉構部２９ａ(２９ｂ，２９ｃ)と可動側開閉機構部３０ａ（３０ｂ，３０ｃ）から構成されている。固定側開閉機構部２９ａ（２９ｂ，２９ｃ）は、主回路導体２３ａ（２３ｂ，２３ｃ）の内周面から径方向内側に突出するフランジ面に固定されており、その中心軸上には棒状の固定側接触子を備えている。可動側開閉機構部３０ａ（３０ｂ，３０ｃ）は、主回路導体２４ａ（２４ｂ，２４ｃ）の内周面から径方向内側に突出するフランジ面に固定側開閉機構部２９ａ（２９ｂ，２９ｃ）と対向するように固定されている。可動側開閉機構部３０ａ（３０ｂ，３０ｃ）の中心部分には、固定側開閉機構部２９ａ（２９ｂ，２９ｃ）の固定側接触子と水平方向に接離可能に構成された可動側接触子を備えている。
【００３２】
可動側開閉機構部３０ａ（３０ｂ，３０ｃ）の可動側接触子の固定側開閉機構部２９ａ(２９ｂ，２９ｃ)側とは反対側にはリンク機構１２ａ(１２ｂ，１２ｃ)の一方側が機械的に接続されている。リンク機構１２ａ（１２ｂ，１２ｃ）は絶縁ロッド，回転シャフトレバー，操作ロッドなどの機構部品が機械的に連結されてなるものであり、絶縁支持部材２８ａ（２８ｂ，２８ｃ）に設けられた中空部を介して収納箱２０ａ(２０ｂ，２０ｃ)内から通電導体２７ａ(２７ｂ，２７ｃ)内に至っている。絶縁支持部材２８ａ（２８ｂ，２８ｃ）の中空部及び収納箱２０ａ（２０ｂ，２０ｃ）内には、絶縁性ガスである六弗化硫黄（ＳＦ6 ）ガスが封入されている。
【００３３】
尚、本実施例の遮断器１ａ（１ｂ，１ｃ）は、可動側接触子を固定側接触子から開離する場合に生じるアークを、遮断部２２ａ（２２ｂ，２２ｃ）の絶縁媒体である六弗化硫黄ガスを圧縮して吹付け消弧するように構成されたパッファ式のものである。
【００３４】
遮断器１ａ（１ｂ，１ｃ）の遮断部２２ａ（２２ｂ，２２ｃ）の同軸上には断路器２ａ（２ｂ，２ｃ）の開閉部３１ａ（３１ｂ，３１ｃ）が配設されている。開閉部３１ａ（３１ｂ，３１ｃ）は、主回路導体２４ａ（２４ｂ，２４ｃ），主回路導体３２ａ（３２ｂ，３２ｃ）及び絶縁部材３３ａ（３３ｂ，３３ｃ）によって囲まれた部分に開閉機構部３４ａ（３４ｂ，３４ｃ）が配設されてなるものである。開閉機構部３４ａ（３４ｂ，３４ｃ）は遮断部２２ａ(２２ｂ，２２ｃ)の開閉機構部２６ａ（２６ｂ，２６ｃ）とは異なり、空気によって絶縁されている。
【００３５】
主回路導体３２ａ（３２ｂ，３２ｃ）は円筒状の導電性部材である。主回路導体３２ａ（３２ｂ，３２ｃ）は、底板１６ａ（１６ｂ，１６ｃ）に固定された絶縁支持部材３５ａ（３５ｂ，３５ｃ）によって絶縁支持されている。絶縁部材３３ａ（３３ｂ，３３ｃ）は主回路導体２４ａ（２４ｂ，２４ｃ）と主回路導体３２ａ（３２ｂ，３２ｃ）の間に設けられた円筒状のものであり、主回路導体２４ａ（２４ｂ，２４ｃ）と主回路導体３２ａ（３２ｂ，３２ｃ）の間を電気的に絶縁するものである。
【００３６】
開閉機構部３４ａ（３４ｂ，３４ｃ）は固定側開閉機構部３６ａ（３６ｂ，３６ｃ）と可動側開閉機構部３７ａ(３７ｂ，３７ｃ)から構成されている。固定側開閉機構部３６ａ(３６ｂ，３６ｃ）は主回路導体２４ａ(２４ｂ，２４ｃ)に電気的に接続されており、固定側接触子を備えている。可動側開閉機構部３７ａ（３７ｂ，３７ｃ）は、主回路導体３２ａ（３２ｂ，３２ｃ）の内周面から径方向内側に突出するフランジ面に固定側開閉機構部３６ａ（３６ｂ，３６ｃ）と対向するように固定されている。可動側開閉機構部３７ａ（３７ｂ，３７ｃ）の中心部分には、固定側開閉機構部３６ａ（３６ｂ，３６ｃ）の固定側接触子と水平方向に接離可能に構成された可動側接触子を備えている。
【００３７】
可動側開閉機構部３７ａ（３７ｂ，３７ｃ）の可動側接触子の固定側開閉機構部３６ａ(３６ｂ，３６ｃ)側とは反対側にはリンク機構３８ａ(３８ｂ，３８ｃ)の一方側が機械的に接続されている。リンク機構３８ａ（３８ｂ，３８ｃ）は絶縁ロッド，回転シャフトレバー，操作ロッドなどの機構部品が機械的に連結されてなるものである、リンク機構３８ａ（３８ｂ，３８ｃ）の他方側は底板１６ａ（１６ｂ，１６ｃ）よりも下方側に突出しており、収納箱１３内に収納された断路器用の操作器（図示省略）に機械的に接続されている。
【００３８】
主回路導体２３ａ（２３ｂ，２３ｃ）には通電部材３９ａ（３９ｂ，３９ｃ）を介して接地開閉器５ａ（５ｂ，５ｃ）の固定側接触子４０ａ(４０ｂ，４０ｃ)が電気的に接続されている。固定側接触子４０ａ（４０ｂ，４０ｃ）の鉛直方向下側には、固定側接触子４０ａ（４０ｂ，４０ｃ）に対して接離可能に設けられた可動側接触子４１ａ（４１ｂ，４１ｃ）が対向配置されている。固定側接触子４０ａ（４０ｂ，４０ｃ）と可動側接触子４１ａ（４１ｂ，４１ｃ）の対は接地開閉器５ａ（５ｂ，５ｃ）の開閉部４２ａ（４２ｂ，４２ｃ）を構成するものである。可動側接触子４１ａ（４１ｂ，４１ｃ）は、収納箱１３内に収納された接地開閉器用の操作器(図示省略)によって操作される。
【００３９】
さらに、主回路導体２３ａ（２３ｂ，２３ｃ）には通電部材４３ａ（４３ｂ，４３ｃ）を介して起動用断路器の固定側接触子４４ａ（４４ｂ，４４ｃ）が電気的に接続されている。固定側接触子４４ａ（４４ｂ，４４ｃ）の鉛直方向下側には、固定側接触子４４ａ（４４ｂ，４４ｃ）に対して接離可能に設けられた可動側接触子４５ａ（４５ｂ，４５ｃ）が対向配置されている。固定側接触子４４ａ（４４ｂ，４４ｃ）と可動側接触子４５ａ（４５ｂ，４５ｃ）の対は起動用断路器の開閉部４６ａ(４６ｂ，４６ｃ)を構成するものである。可動側接触子４５ａ（４５ｂ，４５ｃ）は、収納箱１３内に収納された起動用断路器用の操作器（図示省略）によって操作される。
【００４０】
主回路導体３２ａ（３２ｂ，３２ｃ）には通電部材（図示省略）を介して接地開閉器３ａ（３ｂ，３ｃ）の固定側接触子（図示省略）が電気的に接続されている。固定側接触子の鉛直方向下側には、固定側接触子に対して接離可能に設けられた可動側接触子（図示省略）が対向配置されている。固定側接触子と可動側接触子の対は接地開閉器３ａ（３ｂ，３ｃ）の開閉部を構成するものである。可動側接触子は、収納箱１３内に収納された接地開閉器用の操作器（図示省略）によって操作される。
【００４１】
天井板１９ａ（１９ｂ，１９ｃ）の一方側（断路器２ａ（２ｂ，２ｃ）の開閉部３１ａ（３１ｂ，３１ｃ）側）には計器用変圧器４７ａ（４７ｂ，４７ｃ）及び避雷器４ａ（４ｂ，４ｃ）が容器１５ａ〜１５ｃの並設方向に並んで取付けられている。計器用変圧器４７ａ（４７ｂ，４７ｃ）及び避雷器４ａ(４ｂ，４ｃ)は、天井板１９ａ（１９ｂ，１９ｃ）から吊下がるように支持されている。計器用変圧器４７ａ（４７ｂ，４７ｃ）は、断路器２ａ(２ｂ，２ｃ)の開閉部３３ａ（３３ｂ，３３ｃ）を動作させるために用いられるＵ相（Ｖ相，Ｗ相）の回路電圧を測定するものであり、主回路導体３２ａ（３２ｂ，３２ｃ）に設けられた座４８ａ（４８ｂ，４８ｃ）に一次側リード線が電気的に接続されている。避雷器４ａ（４ｂ，４ｃ）は、Ｕ相（Ｖ相，Ｗ相）の回路に伝搬する過電圧を抑制するものである。
【００４２】
天井板１９ｂの他方側（遮断器１ｂの遮断部２２ｂ側）には計器用変圧器６ａ〜６ｄが取付けられている。計器用変圧器６ａ〜６ｄは、天井板１９ｂから吊下がるように縦横に２列に並んで支持されている。計器用変圧器６ａ〜６ｄは、遮断器１ａ〜１ｃの遮断部２２ａ〜２２ｃを動作させるために用いられるＵ相〜Ｗ相の回路電圧を測定するものである。計器用変圧器６ａ〜６ｄは、一次巻線及び二次巻線が巻かれていると共に絶縁性ガス或いは絶縁性油によって絶縁された鉄心部と、この鉄心部から下方に突出すると共にエポキシ樹脂などの絶縁物によって絶縁された４つの端子導体から構成されている。４つの端子導体のうち、２つの端子導体は一次側端子を構成し、残りの２つの端子導体は二次側端子を構成している。
【００４３】
計器用変圧器６ａの一次側端子の一方側に電気的に接続された一次側リード線４９は容器１５ｂ内から絶縁管２１ａを介して容器１５ａ内に引込まれ、主回路導体２３ａに設けられた座５２ａに電気的に接続されている。計器用変圧器６ａの一次側端子の他方側と計器用変圧器６ｂの一次側端子の一方側は電気的に直列接続されている。尚、図示省略したが、一次側リード線４９は、天井板１９ａに取付けられた絶縁支持部材によって支持されている。
【００４４】
計器用変圧器６ｄの一次側端子の一方側に電気的に接続された一次側リード線５１は容器１５ｂ内から絶縁管２１ｂを介して容器１５ｃ内に引込まれ、主回路導体２３ｃに設けられた座５２ｃに電気的に接続されている。計器用変圧器６ｄの一次側端子の他方側と計器用変圧器６ｃの一次側端子の一方側は電気的に直列接続されている。尚、図示省略したが、一次側リード線５１は、天井板１９ｃに取付けられた絶縁支持部材によって支持されている。
【００４５】
計器用変圧器６ｂの一次側端子の他方側と計器用変圧器６ｃの一次側端子の一方側に電気的に接続された一次側リード線５０は、主回路導体２３ｂに設けられた座５２ｂに電気的に接続されている。計器用変圧器６ａ〜６ｄの二次側端子に電気的に接続された二次側リード線（図示省略）は計測機器に電気的に接続されている。
【００４６】
以上説明した本実施例によれば、容器１５ａ〜１５ｃのうち中央に位置する容器１５ｂ内に計器用変圧器６ａ〜６ｄを配設したので、計器用変圧器６ａ〜６ｄの容器への取付作業、計器用変圧器６ａ〜６ｄの容器からの取外作業を容器15ｂに対して実施すればよく、他の容器については一次側リード線の配線作業を実施すればよい。これにより、計器用変圧器６ａ〜６ｄの容器への取付作業，計器用変圧器６ａ〜６ｄの容器からの取外作業の作業量，作業時間を大幅に減らすことができ、計器用変圧器６ａ〜６ｄの容器への取付作業，計器用変圧器６ａ〜６ｄの容器からの取外作業の作業効率を向上させることができる。従って、開閉装置の組立作業，計器用変圧器６ａ〜６ｄの交換作業などの作業効率を向上させることができる。
【００４７】
尚、計器用変圧器６ａ〜６ｄの容器への取付作業は次の通り行われる。計器用変圧器６ａ〜６ｄを天井板１９ｂに取付ける。次いで、天井板１９ｂをクレーンなどで吊上げ、容器１９ｂの側壁１７ｂに天井板１９ｂを取付ける。次いで、容器１５ａ〜１５ｃに対して一次側リード線の配線作業を行う。また、計器用変圧器６ａ〜６ｄの容器からの取外作業は、上述の取付作業工程を逆順にしたがって行われる。
【００４８】
また、本実施例によれば、計器用変圧器６ａの一次側端子に電気的に接続された一次側リード線４９及び計器用変圧器６ｄの一次側端子に電気的に接続された一次側リード線５１を容器１５ｂから容器１５ａ，１５ｃへ容易に引廻すことができる。すなわち容器１５ａ，１５ｃ内に計器用変圧器を配設すると、計器用変圧器の一次側端子に電気的に接続された一次側リード線を２本引廻す部分が生じる。このため、２本の一次側リード線の絶縁距離を確保する必要があり、引廻し構造が複雑化或いは容器が大型化する。これに対して本実施例は、容器１５ｂ内に計器用変圧器６ａ〜６ｄを配設したので、計器用変圧器６ａの一次側端子に電気的に接続された一次側リード線４９及び計器用変圧器６ｄの一次側端子に電気的に接続された一次側リード線５１を容器１５ｂから容器１５ａ，１５ｃへ１本で引廻ことができ、引廻し構造の複雑化或いは容器の大型化を抑えることができる。従って、開閉装置の経済性を向上させることができる。
【００４９】
また、本実施例によれば、容器１５ａと容器１５ｂの間を絶縁管２１ａによって連通し、容器１５ｂと容器１５ｃの間を絶縁管２１ｂによって連通しているので、各容器間に循環電流が流れることがない。これにより、循環電流による容器１５ａ〜１５ｃの発熱を抑えることができる。従って、開閉装置の安全性を向上させることができる。
【００５０】
図７は、本発明の第２の実施例である開閉装置の三相結線図を示す。本実施例では、Ｕ相〜Ｗ相の各回路電圧を測定するために、一次側がＹ結線方式によって構成された計器用変圧器７ａ〜７ｆを備えている。尚、前例と同じ構成部分には同符号を付し、その説明は省略する。
【００５１】
遮断器１ａの発電機側には計器用変圧器７ａの一次側の一方が電気的に接続されている。遮断器１ｂの発電機側には計器用変圧器７ｃの一次側の一方が電気的に接続されている。遮断器１ｃの発電機側には計器用変圧器７ｅの一次側の一方が電気的に接続されている。
【００５２】
計器用変圧器７ａの一次側の他方と計器用変圧器７ｂの一次側の一方は電気的に直列接続されている。計器用変圧器７ｃの一次側の他方と計器用変圧器７ｄの一次側の一方は電気的に直列接続されている。計器用変圧器７ｅの一次側の他方と計器用変圧器７ｄの一次側の一方は電気的に直列接続されている。計器用変圧器７ｂの一次側の他方、計器用変圧器７ｄの一次側の他方、計器用変圧器７ｆの一次側の他方は電気的に直列接続されている。
【００５３】
図５，図６は、図７の三相結線図を適用した開閉装置の構成を示す。尚、前例と同じ構成部分には同符号を付し、その説明は省略する。本実施例では前例と同様に計器用変圧器７ａ〜７ｆを容器１５ｂ内の天井板１９ｂの他方側（遮断器１ｂの遮断部２２ｂ側）に取付けている。
【００５４】
計器用変圧器７ａ〜７ｆは、遮断器１ａ〜１ｃの遮断部２２ａ〜２２ｃを動作させるために用いられるＵ相〜Ｗ相の回路電圧を測定するものであり、天井板１９ｂから吊下がるように容器１５ｄの横幅方向に２列、容器１５の奥行き方向に３列に並んで支持されている。計器用変圧器７ａ〜７ｄは、一次巻線及び二次巻線が巻かれていると共に絶縁性ガス或いは絶縁性油によって絶縁された鉄心部と、この鉄心部から下方に突出すると共にエポキシ樹脂などの絶縁物によって絶縁された２つの端子導体（一次側端子）と、２つの二次側端子から構成されている。
【００５５】
計器用変圧器７ａの一次側端子の一方側に電気的に接続された一次側リード線５３は容器１５ｂ内から絶縁管２１ａを介して容器１５ａ内に引込まれ、主回路導体２３ａに設けられた座５２ａに電気的に接続されている。計器用変圧器７ａの一次側端子の他方側と計器用変圧器７ｂの一次側端子の一方側は電気的に直列接続されている。尚、図示省略したが、一次側リード線５３は、天井板１９ａに取付けられた絶縁支持部材によって支持されている。
【００５６】
計器用変圧器７ｃの一次側端子の一方側に電気的に接続された一次側リード線５４は、主回路導体２３ｂに設けられた座５２ｂに電気的に接続されている。計器用変圧器７ｃの一次側端子の他方側と計器用変圧器７ｄの一次側端子の一方側は電気的に直列接続されている。
【００５７】
計器用変圧器７ｅの一次側端子の一方側に電気的に接続された一次側リード線５５は容器１５ｂ内から絶縁管２１ｂを介して容器１５ｃ内に引込まれ、主回路導体２３ｃに設けられた座５２ｃに電気的に接続されている。計器用変圧器７ｅの一次側端子の他方側と計器用変圧器７ｆの一次側端子の一方側は電気的に直列接続されている。尚、図示省略したが、一次側リード線５５は、天井板１９ｃに取付けられた絶縁支持部材によって支持されている。
【００５８】
計器用変圧器７ｂの一次側端子の他方側、計器用変圧器７ｄの一次側端子の他方側、計器用変圧器７ｆの一次側端子の他方側は電気的に接続されている。計器用変圧器６ａ〜６ｄの二次側端子に電気的に接続された二次側リード線（図示省略）は計測機器に電気的に接続されている。
【００５９】
以上説明した本実施例によれば、前例と同様に、容器１５ａ〜１５ｃのうち中央に位置する容器１５ｂ内に計器用変圧器７ａ〜７ｆを配設したので、計器用変圧器７ａ〜７ｆの容器への取付作業，計器用変圧器７ａ〜７ｆの容器からの取外作業の作業効率を向上させることができる。従って、開閉装置の組立作業，計器用変圧器７ａ〜７ｆの交換作業などの作業効率を向上させることができる。
【００６０】
また、本実施例によれば、前例と同様に、容器１５ｂ内に計器用変圧器７ａ〜７ｆを配設したので、計器用変圧器７ａの一次側端子に電気的に接続された一次側リード線５３及び計器用変圧器６ｅの一次側端子に電気的に接続された一次側リード線５５を容器１５ｂから容器１５ａ，１５ｃへ１本で引廻ことができ、引廻し構造の複雑化或いは容器の大型化を抑えることができる。従って、開閉装置の経済性を向上させることができる。
【００６１】
【発明の効果】
本発明によれば、計器用変圧器の容器への取付作業，計器用変圧器の容器からの取外作業の作業量，作業時間を大幅に減らすことができるので、計器用変圧器の容器への取付作業，計器用変圧器の容器からの取外作業などの作業効率を向上させることができる。従って、開閉装置の組立作業，計器用変圧器の交換作業などの作業効率を向上させることができる。また、本発明によれば、一次側リード線の引廻し構造の複雑化或いは容器の大型化を抑えることができるので、開閉装置の経済性を向上させることができる。尚、計器用変圧器の一次側リード線の引廻しは、計器用変圧器の一次側リード線がどのような結線方式であっても１本で容易に引廻すことができる。
【図面の簡単な説明】
【図１】本発明の第１実施例である開閉装置の構成を示す断面図である。
【図２】図１のII−II矢視断面図である。
【図３】図１のIII−III矢視断面図である。
【図４】本発明の第１実施例である開閉装置の三相結線図を示す。
【図５】本発明の第２実施例である開閉装置の構成を示す断面図である。
【図６】図５のVI−VI矢視断面図である。
【図７】本発明の第２実施例である開閉装置の三相結線図を示す。
【符号の説明】
１ａ〜１ｃ…遮断器、２ａ〜２ｃ…断路器、３ａ〜３ｃ，５ａ〜５ｃ…接地開閉器、４ａ〜４ｃ…避雷器、６ａ〜６ｄ，７ａ〜７ｆ…計器用変圧器、１５ａ〜１５ｃ…容器、１９ａ〜１９ｃ…天井板、２１ａ，２１ｃ…絶縁管、２２ａ〜２２ｃ…遮断部、３３ａ〜３３ｃ…開閉部。
【図１】
0003767355.tif 000002
【図２】
0003767355.tif 000003
【図３】
0003767355.tif 000004
【図４】
0003767355.tif 000005
【図５】
0003767355.tif 000006
【図６】
0003767355.tif 000007
【図７】
0003767355.tif 000008